(57)【要約】      （修正有）【課題】結び目の形が崩れることがない装着が簡単で確実なネクタイ吊りを提供する。【解決手段】ワイシャツの第一ボタンに止め掛けられて結び目を形成したネクタイを吊り下げるネクタイ吊りであり、このネクタイ吊りが、前面にネクタイの裏垂れ部の適所を引っ掛けて前下方に折り返す係止体が形成されており、かつ、折り返した裏垂れ部を上方に上げて左右に回して結び目を作るとともに、残った部分を結び目に通して前垂れ部として吊り下げるＹ字体と、ボタン孔が形成されてＹ字体の下端に蝶番で繋がれ、蝶番を折り返してＹ字体とで結び目を前後から挟持するとともに、ボタン孔に第一ボタンを挿入して固定される逆Ｔ字体とからなることを特徴とするネクタイ吊り。【選択図】図１
0003114206.tif 000002
【実用新案登録請求の範囲】
【請求項１】
ワイシャツの第一ボタンに止め掛けられて結び目を形成したネクタイを吊り下げるネクタイ吊りであり、このネクタイ吊りが、前面にネクタイの裏垂れ部の適所を引っ掛けて前下方に折り返す係止体が形成されており、かつ、折り返した裏垂れ部を上方に上げて左右に回して結び目を作るとともに、残った部分を結び目に通して前垂れ部として吊り下げるＹ字体と、ボタン孔が形成されてＹ字体の下端に蝶番で繋がれ、蝶番を折り返してＹ字体とで結び目を前後から挟持するとともに、ボタン孔に第一ボタンを挿入して固定される逆Ｔ字体とからなることを特徴とするネクタイ吊り。
【請求項２】
Ｙ字体が、逆台形形をした基体と、基体の上端の両側から外上方に延びる磁石が取り付けられた角部とからなり、逆Ｔ字体が、基体に蝶番で繋がれる柱部と、柱部の下部から左右に張り出す磁性体の翼部とからなるものであり、翼部の中央にボタン孔が形成されたものである請求項１のネクタイ吊り。
【考案の詳細な説明】
【技術分野】
【０００１】
本考案は、結んだ状態のネクタイをワンタッチでワイシャツに取付け、取外しできるネクタイ吊りに関するものである。
【背景技術】
【０００２】
ネクタイを結ぶには、前垂れ部と裏垂れ部の長さを調整する必要があり、合わないと、何回でもやり直しをしなければならない。また、普段あまりネクタイを着用しない人は、ネクタイ結びに難渋し、裏垂れ部を緩めて首から抜いて外したりしているが、何らかの拍子で裏垂れ部が抜けてしまうことがある。このため、従来から、ネクタイを結んだ状態で保持し、着用時には、ワイシャツの襟に差し込む等によって装着できるネクタイ吊りが提案されている。
【０００３】
中でも、下記特許文献１に見られるものは、普通のネクタイを使用できる利点を有しており（専用の短いネクタイを使用する必要がない）、かつ、結ぶ操作も比較的易しく、また、綺麗な結び目ができる点で優れている。しかし、この先行例のものは、裏垂れ部の余った部分（首に回さないのであるから、当然に長くなる）を縫い付けたり、ピンで止める等、煩雑な措置を強いられるようになっており、あまり使い勝手がよいとはいえない。また、結び目の緩みを防止する手段も設けられていないし、フックでワイシャツの襟に引っ掛けるものであるから、位置がずれることもある。
【特許文献１】登録実用新案第３０６２８４９号公報
【考案の開示】
【考案が解決しようとする課題】
【０００４】
本考案は、綺麗な結び目ができる長所はそのまま残し、この結び目の緩みを防止するとともに、より操作の易しいものにして使い勝手を一層高めたネクタイ吊りを提案するものである。
【課題を解決するための手段】
【０００５】
以上の課題の下、本考案は、請求項１に記載した、ワイシャツの第一ボタンに止め掛けられて結び目を形成したネクタイを吊り下げるネクタイ吊りであり、このネクタイ吊りが、前面にネクタイの裏垂れ部の適所を引っ掛けて前下方に折り返す係止体が形成されており、かつ、折り返した裏垂れ部を上方に上げて左右に回して結び目を作るとともに、残った部分を結び目に通して前垂れ部として吊り下げるＹ字体と、ボタン孔が形成されてＹ字体の下端に蝶番で繋がれ、蝶番を折り返してＹ字体とで結び目を前後から挟持するとともに、ボタン孔に第一ボタンを挿入して固定される逆Ｔ字体とからなることを特徴とするネクタイ吊りを提供したものである。
【０００６】
また、本考案は、以上のネクタイ吊りにおいて、請求項２に記載した、Ｙ字体が、逆台形形をした基体と、基体の上端の両側から外上方に延びる磁石が取り付けられた角部とからなり、逆Ｔ字体が、基体に蝶番で繋がれる柱部と、柱部の下部から左右に張り出す磁性体の翼部とからなるものであり、翼部の中央にボタン孔が形成されたものである手段を提供したものである。
【考案の効果】
【０００７】
請求項１のネクタイ吊りによると、ネクタイの結び目はＹ字体と逆Ｔ字体とで挟持されるから、しっかりととその形が保持され、緩むことがない。また、このネクタイ吊りは、ワイシャツの第一ボタンに止め掛けられるものであるから、確実であり、位置がずれたりすることがない。加えて、ワイシャツの襟にさしこむような手段は用いていないから、装着感がよいし、安全でもある。また、請求項２の手段によると、逆Ｔ字体のＹ字体に対する止め付けがワンタッチでできる。
【考案を実施するための最良の形態】
【０００８】
以下、本考案の実施の形態を図面を参照して説明する。図１は本考案に係るネクタイ吊りの一例を示す正面図、図２は平面図、図３は側面図であるが、このネクタイ吊りは、Ｙ字形をしたＹ字体１と、Ｙ字体１の下端に蝶番２で繋がれる逆Ｔ字体３からなる。このうち、Ｙ字体１は、逆台形形をした基体４と基体４の上端両側から外上方に延びる角部５とからなる。これにおいて、基体４及び角部５は、首のアールに沿って外方に凸形になっている。また、本例では、角部５の裏面にはそれぞれ磁石６が取り付けられているし、基体４の前面には、向かって右側が開放したフック形状の係止体７も設けられている。
【０００９】
逆Ｔ字体３は、蝶番２に続く柱部８と柱部８の下部から左右に張り出す翼部９とからなる。これにおいて、翼部９は、磁性体で構成され、その中央にボタン孔１０が形成されている。なお、柱部８と翼部９も、首のアールに沿って外方に凸形になるが、逆Ｔ字体３は、蝶番２でＹ字体１の裏面に折り返すので、展開した状態では内方に凸形になっている。また、逆Ｔ字体３を折り返したとき、翼部９の位置は、角部５の高さとほぼ同じ位置になっている。
【００１０】
次に、図４〜図７の説明図によってこのネクタイ吊りの使用方法について説明する。まず、ネクタイ１１の裏垂れ部１１ａを適当な長さにしてその上端をＹ字体１の係止体６に掛けて前方に垂らし、これを更に適当な長さ（裏垂れ部１１ａよりは短くする）から上方に折り返す。これにより、裏垂れ部１１ａの前方には、二つの折り返し部が存在することになり（図５）、これを裏から第二裏垂れ部１１ｂ、第三裏垂れ部１１ｃとする。
【００１１】
次いで、第三裏垂れ部１１ｃを基体４の上方に上げ、向かって左側の角部５の裏側を回して前方に出し（図４）、第三裏垂れ部１１ｃの前面を右方に回す。そして、右側の角部５の裏側に回し（図６）、前面に回した第三裏垂れ部１０ｃの中に通して前に垂らす（図７）と、これが前垂れ部１１ｄとなる。なお、角部５は、このようにネクタイ１１を回して折り返すことから、ネクタイ１１が上方にずれたりしないように、その先端を折り返してフック形状にしておくのが適する（図２、図３）。これら前垂れ部１１ｄと裏垂れ部１１ａとが適当な長さになるように第二及び第三裏垂れ部１１ｂ、１１ｃの長さを調整することになる。以上により、基体４に結び目１２が形成されたことになる。
【００１２】
次に、逆Ｔ字体３を蝶番２でＴ字体１の裏側に折り返すと、翼部９は、角部５の磁石６に吸着して固定される。これにより、結び目１２は、Ｙ字体１と逆Ｔ字体３とで前後から挟持され、その形が固定されることになる。最後に、ワイシャツ１３の第一ボタン１３ａに翼部９の中央に形成されたボタン孔１０を挿入すると（図９）、ネクタイ吊りがワイシャツ１３に固定され、ネクタイ１１を結んだと同じ状態になる（図８）。
【００１３】
したがって、ネクタイ１１を外すときには、第一ボタン１３をボタン孔１０から抜くだけでよいから、その操作が簡単で迅速である。一方、外した後も、ネクタイ１１を以上の装着状態にしておけばよいから、再度装着するときには、ネクタイ吊りをワイシャツ１３の襟に持って行き、第一ボタン１３ａをボタン孔１０に挿入するだけでよく、この操作も、簡単で迅速である。
【図面の簡単な説明】
【００１４】
【図１】ネクタイ吊りの一例を示す正面図である。
【図２】ネクタイ吊りの一例を示す平面図である。
【図３】ネクタイ吊りの一例を示す側面図である。
【図４】ネクタイ吊りの使用方法を示す説明図である。
【図５】ネクタイ吊りの使用方法を示す説明図である。
【図６】ネクタイ吊りの使用方法を示す説明図である。
【図７】ネクタイ吊りの使用方法を示す説明図である。
【図８】ネクタイ吊りによるネクタイ装着を示す正面図である。
【図９】ネクタイ吊りによるネクタイ装着を示す要部側面図である。
【符号の説明】
【００１５】
１    Ｙ字体
２    蝶番
３    逆Ｔ字体
４    基体
５    角部
６    磁石
７    係止体
８    柱部
９    翼部
１０  ボタン孔
１１  ネクタイ
１１ａ裏垂れ部
１１ｂ第二裏垂れ部
１１ｃ第三裏垂れ部
１１ｄ前垂れ部
１２  結び目
１３  ワイシャツ
１３ａ第一ボタン
【図１】
0003114206.tif 000003
【図２】
0003114206.tif 000004
【図３】
0003114206.tif 000005
【図４】
0003114206.tif 000006
【図５】
0003114206.tif 000007
【図６】
0003114206.tif 000008
【図７】
0003114206.tif 000009
【図８】
0003114206.tif 000010
【図９】
0003114206.tif 000011